(57)【要約】【課題】ユーザの健康状態に合わせた投薬量を正確に決定することができる投薬量決定支援装置を提供する。【解決手段】ユーザの血液から得られる血糖値を測定するセンサ２８と、血糖値とインスリン量との対応関係を示す演算テーブルが記憶されているメモリ４８と、メモリ４８に記憶されている演算テーブルを参照し、血糖値に対応するインスリン量を演算するＣＰＵ５０と、インスリン量を表示する表示部３４と、インスリン量を音声処理してスピーカ３２より音声出力する音声処理部５２とを備える。【選択図】　　　　図２
2004000555.tif 000002
【特許請求の範囲】
【請求項１】
薬剤の投与量の決定を支援する投薬量決定支援装置であって、
ユーザの体内または対表面から得られる生体情報を測定する測定部と、
前記生体情報に基づいて投薬量を演算する投薬量演算部と、
前記投薬量演算部で演算された前記投薬量を前記ユーザに通知する通知部とを備える
ことを特徴とする投薬量決定支援装置。
【請求項２】
前記投薬量演算部は、
前記生体情報と投薬量との対応関係を記憶させるための対応メモリと、
前記対応関係を参照し、前記生体情報に対応する前記投薬量を演算する演算部とを有する
ことを特徴とする請求項１に記載の投薬量決定支援装置。
【請求項３】
さらに、ネットワークを介して外部端末に接続され、外部端末との通信を制御する通信制御部と、
前記通信制御部を介して外部入力を受付け、前記外部入力に基づいて前記対応メモリに記憶されている前記対応関係の内容を書換える対応関係書換え部を備える
ことを特徴とする請求項２に記載の投薬量決定支援装置。
【請求項４】
さらに、前記外部入力の入力者の認証を行なう外部入力認証部を備え、
前記対応関係書換え部では、前記入力者が許可された者である場合に限り、前記外部入力に基づいて前記対応メモリに記憶されている前記対応関係の内容を書換える
ことを特徴とする請求項３に記載の投薬量決定支援装置。
【請求項５】
前記外部入力認証部では、前記入力者の身体的特徴に基づいて認証を行なう
ことを特徴とする請求項４に記載の投薬量決定支援装置。
【請求項６】
さらに、ユーザからのデータの入力を受付けるデータ入力部と、
前記データ入力部を介して外部入力を受付け、前記外部入力に基づいて前記対応メモリに記憶されている前記対応関係の内容を書換える対応関係書換え部を備える
ことを特徴とする請求項２に記載の投薬量決定支援装置。
【請求項７】
さらに、前記投薬量を記憶させるための投薬量メモリと、
演算された前記投薬量を演算時刻とともに前記投薬量メモリに格納する投薬量格納部とを備える
ことを特徴とする請求項１に記載の投薬量決定支援装置。
【請求項８】
さらに、前記生体情報を記憶させるための生体情報メモリと、
前記測定部で測定された前記生体情報を測定時刻とともに前記生体情報メモリに格納する生体情報格納部とを備える
ことを特徴とする請求項１に記載の投薬量決定支援装置。
【請求項９】
さらに、ユーザの体調を計測する体調計測部と、
前記ユーザの体調を記憶させるための体調メモリと、
前記ユーザの体調を計測時刻とともに前記体調メモリに格納する体調格納部とを備える
ことを特徴とする請求項１に記載の投薬量決定支援装置。
【請求項１０】
さらに、前記投薬量を記憶させるための投薬量メモリと、演算された前記投薬量を演算時刻とともに前記投薬量メモリに格納する投薬量格納部と、
ネットワークを介して外部端末に接続され、前記投薬量メモリに記憶されている前記投薬量および前記演算時刻を前記ネットワークを介して外部端末へ出力する通信制御部とを備える
ことを特徴とする請求項１に記載の投薬量決定支援装置。
【請求項１１】
さらに、前記生体情報を記憶させるための生体情報メモリと、
前記測定部で測定された前記生体情報を測定時刻とともに前記生体情報メモリに格納する生体情報格納部と、
ネットワークを介して外部端末に接続され、前記生体情報メモリに記憶されている前記生体情報および前記測定時刻を前記ネットワークを介して外部端末へ出力する通信制御部とを備える
ことを特徴とする請求項１に記載の投薬量決定支援装置。
【請求項１２】
さらに、ユーザの体調を計測する体調計測部と、
前記ユーザの体調を記憶させるための体調メモリと、
前記ユーザの体調を計測時刻とともに前記体調メモリに格納する体調格納部と、
ネットワークを介して外部端末に接続され、前記体調メモリに記憶されている前記ユーザの体調および前記計測時刻を前記ネットワークを介して外部端末へ出力する通信制御部とを備える
ことを特徴とする請求項１に記載の投薬量決定支援装置。
【請求項１３】
投薬量を自動的に設定可能な注射器であって、
ユーザの体内または体表面から得られる生体情報を測定する測定部と、
前記生体情報に基づいて投薬量を演算する投薬量演算部と、
前記投薬量演算部で演算された前記投薬量の薬剤を注射する注射部とを備える
ことを特徴とする注射器。
【請求項１４】
前記投薬量演算部は、
前記生体情報と投薬量との対応関係を記憶させるための対応メモリと、
前記対応関係を参照し、前記生体情報に対応する前記投薬量を演算する演算部とを有する
ことを特徴とする請求項１３に記載の注射器。
【請求項１５】
前記注射部は、
注射針と、
前記薬剤を収納する薬剤収納部と、
前記注射針に前記薬剤収納部に収納された前記薬剤を押し出すピストンと、
前記ピストンによる前記薬剤の押し出し量を設定する設定部と、
前記演算部で演算された前記投薬量の前記薬剤が投与されるように、前記設定部による前記薬剤の押し出し量を調節する調節部とを有する
ことを特徴とする請求項１４に記載の注射器。
【請求項１６】
さらに、前記演算部で演算された前記投薬量を前記ユーザに通知する通知部を備える
ことを特徴とする請求項１５に記載の注射器。
【請求項１７】
さらに、前記演算部で演算された前記投薬量をユーザに確認させ、前記ユーザの確認が得られなければ薬剤の押出しを停止させるユーザ確認部を備える
ことを特徴とする請求項１６に記載の注射器。
【請求項１８】
さらに、前記設定部による前記薬剤の押し出し量を補正する補正部を備える
ことを特徴とする請求項１５に記載の注射器。
【請求項１９】
さらに、前記投薬量を記憶させるための投薬量記憶メモリと、
前記注射部より前記ユーザに投与された前記薬剤の前記投薬量を投与時刻とともに前記投薬量記憶メモリに格納する投薬量格納部とを備える
ことを特徴とする請求項１８に記載の注射器。
【請求項２０】
さらに、前記投薬量の許容範囲を記憶させるための投薬量許容範囲メモリ前記投薬量の許容範囲を記憶させるための投薬量許容範囲メモリと、
前記薬剤の押し出し量が前記投薬量の許容範囲内にあるか否かをチェックする押し出し量チェック部とを備える
ことを特徴とする請求項１５に記載の注射器。
【請求項２１】
さらに、前記薬剤の押し出し量が前記投薬量の許容範囲外にあると判断された場合にユーザに警告をする警告部を備える
ことを特徴とする請求項２０に記載の注射器。
【請求項２２】
さらに、前記投薬量を記憶させるための投薬量記憶メモリと、
前記注射部より前記ユーザに投与された前記薬剤の前記投薬量を投与時刻とともに前記投薬量記憶メモリに格納する投薬量格納部と、
ネットワークを介して外部端末に接続され、前記投薬量メモリに記憶されている前記投薬量および前記演算時刻を前記ネットワークを介して外部端末へ出力する通信制御部とを備える
ことを特徴とする請求項１５に記載の注射器。
【請求項２３】
さらに、ネットワークを介して外部端末に接続され、外部端末との通信を制御する通信制御部と、
前記通信制御部を介して外部入力を受付け、前記外部入力に基づいて前記対応メモリに記憶されている前記対応関係の内容を書換える対応関係書換え部を備える
ことを特徴とする請求項１４に記載の注射器。
【請求項２４】
さらに、ユーザからのデータの入力を受付けるデータ入力部と、
前記データ入力部を介して外部入力を受付け、前記外部入力に基づいて前記対応メモリに記憶されている前記対応関係の内容を書換える対応関係書換え部を備える
ことを特徴とする請求項１４に記載の注射器。
【請求項２５】
さらに、前記生体情報を記憶させるための生体情報メモリと、
前記測定部で測定された前記生体情報を測定時刻とともに前記生体情報メモリに格納する生体情報格納部とを備える
ことを特徴とする請求項１３に記載の注射器。
【請求項２６】
さらに、前記生体情報を記憶させるための生体情報メモリと、
前記測定部で測定された前記生体情報を測定時刻とともに前記生体情報メモリに格納する生体情報格納部と、
ネットワークを介して外部端末に接続され、前記生体情報メモリに記憶されている前記生体情報および前記測定時刻を前記ネットワークを介して外部端末へ出力する通信制御部とを備える
ことを特徴とする請求項１３に記載の注射器。
【請求項２７】
ユーザの健康管理を支援する健康管理支援システムであって、
ユーザの体内または体表面から得られる生体情報と薬剤の投与量との対応関係を参照し、前記ユーザへの投薬量の決定を支援する投薬量決定支援装置と、
ネットワークを介して前記投薬量決定支援装置に接続され、前記投薬量決定支援装置に前記対応関係を送信するサーバ装置とを備え、
前記投薬量決定支援装置は、
前記ユーザの前記生体情報を測定する測定部と、
前記対応関係を記憶させるための対応メモリと、
前記対応関係を参照し、前記生体情報に対応する前記投薬量を演算する演算部と、
前記演算部で演算された前記投薬量を前記ユーザに通知する通知部と、
前記サーバ装置から受信した前記対応関係で前記対応メモリに記憶されている前記対応関係を書換える対応関係書換え部とを有する
ことを特徴とする健康管理支援システム。
【請求項２８】
ユーザへの薬剤の投与量の決定を支援する投薬量決定支援装置とネットワークを介して接続され、前記投薬量決定支援装置との間で各種データの授受を行なうサーバ装置であって、
ユーザの体内または体表面から得られる生体情報と投薬量との対応関係を記憶させるための対応メモリと、
前記投薬量決定支援装置より前記生体情報を受信する手段と、
前記対応メモリを参照し、受信された前記生体情報に対応する前記投薬量を演算する演算部と、
前記演算部で演算された前記投薬量を前記投薬量決定支援装置に送信する手段とを備える
ことを特徴とするサーバ装置。
【請求項２９】
ユーザへの薬剤の投与量の決定を支援する投薬量決定支援装置とネットワークを介して接続され、前記投薬量決定支援装置との間で各種データの授受を行なうサーバ装置であって、
ユーザの体内または体表面から得られる生体情報と投薬量との対応関係を記憶させるための対応メモリと、
前記投薬量決定支援装置より前記生体情報および前記投薬量を受信する手段と、
前記対応メモリを参照し、受信された前記生体情報に対応する前記投薬量が認証可能か否かを判断する判断部と、
前記判断部での判断結果を前記投薬量決定支援装置に送信する手段とを備える
ことを特徴とするサーバ装置。
【請求項３０】
ユーザの使用する端末装置と前記端末装置に接続される健康管理者の使用するサーバ装置とを備える健康管理支援システムにおける公開鍵暗号方式を用いた履歴データの通信方法であって、
前記端末装置が、ユーザの健康状態に関する履歴データにユーザの秘密鍵を用いて署名を施すステップと、
前記端末装置が、前記署名の施された前記履歴データを前記サーバ装置に送信するステップと、
前記サーバ装置が、前記署名の施された前記履歴データを受信するステップと、
前記サーバ装置が、登録されたユーザの公開鍵を用いて前記履歴データの署名を検証するステップとを含む
ことを特徴とする履歴データの通信方法。
【請求項３１】
ユーザの使用する投薬量決定支援装置と前記投薬量決定支援装置に接続される健康管理者の使用するサーバ装置とを備える健康管理支援システムにおける公開鍵暗号方式を用いた対応関係の通信方法であって、
前記対応関係は、ユーザの体内または体表面から得られる生体情報と投薬量との対応を示し、前記投薬量決定支援装置では、前記対応関係を参照し、前記生体情報から前記投薬量を求め、
前記サーバ装置が、前記対応関係に前記健康管理者の秘密鍵を用いて署名を施すステップと、
前記サーバ装置が、前記署名の施された前記対応関係を前記投薬量決定支援装置に送信するステップと、
前記投薬量決定支援装置が、前記署名の施された前記対応関係を受信するステップと、
前記投薬量決定支援装置が、登録された前記健康管理者の公開鍵を用いて前記対応関係の署名を検証するステップとを含む
ことを特徴とする対応関係の通信方法。
【発明の詳細な説明】
【０００１】
【発明の属する技術分野】
本発明は、投薬量決定支援装置、注射器および健康管理支援システムに関し、特に、ユーザの体調に合わせた投薬量を自動決定可能な投薬量決定支援装置、注射器および健康管理支援システムに関する。
【０００２】
【従来の技術】
糖尿病は、膵臓から分泌されるインスリンが不足するためにおこる代謝異状による疾患である。現在、この糖尿病の治療法として、インスリンを注射により補充することで、血糖値をコントロールするインスリン療法が広く用いられている。
【０００３】
インスリン療法を受ける患者は、インスリンの注射量を調節したり、インスリンの治療効果の指標としたりするために、インスリンの注射の前に、血液中のグルコース濃度（以下、「血糖値」という。）の測定をすることが多い。従って、インスリンを注射する際には、インスリン注射器だけでなく、血糖値の測定用の装置（以下、「血糖計」という。）が必要となる。患者は、外出中でもインスリンを注射する必要があり、これらのインスリン注射器や血糖計の携帯性を向上させることが望まれている。また、血糖値の測定からインスリンの注射までの一連の操作は、血糖計で血糖値を測定した後、インスリン注射器に持ち替えて注射を行う必要があり煩雑である。そこで、これらの一連の操作を容易にすることが、特に高齢者や、糖尿病の合併症で手指機能の低下した患者にとって望まれていた。
【０００４】
このような要求を満たす従来のインスリン注射器として、血糖計が装着されたインスリン注射器がある（たとえば、特許文献１および２参照。）。
【０００５】
このインスリン注射器は、血糖計が一体化されて形成されたものであり、患者の使い勝手を向上させたものである。また、このインスリン注射器は、血糖値の測定結果とインスリンの注射量とを外部に出力することが可能である。
【０００６】
【特許文献１】
国際公開ＷＯ９５／２４２３３号パンフレット
【０００７】
【特許文献２】
特表平１０−５０４７２９号公報
【０００８】
【発明が解決しようとする課題】
しかしながら、従来のインスリン注射器は、単に血糖計とインスリン注射器とを一体化したに過ぎない。このため、患者がインスリンの注射を行なうためには血糖値の測定結果から、対応表などを参照して注射すべきインスリン量を求めなければならない。しかし、糖尿病の合併症により視力の低下した患者にとってはこの作業は困難であり、かつ、誤ってインスリン量を求めてしまう危険性を伴うという問題がある。
【０００９】
また、求めたインスリン量を注射器に設定するのは、視力の弱った患者や手指機能の低下した患者にとっては困難であるという問題もある。
【００１０】
このような問題は糖尿病患者に限られず、薬剤の投与を必要とするすべての患者にとって重要な問題である。
【００１１】
そこで、本発明は、上述の課題を解決するためになされたもので、ユーザの健康状態に合わせた投薬量を正確に決定することができる投薬量決定支援装置を提供することを目的とする。
【００１２】
また、ユーザの健康状態に合わせた投与量の薬剤を正確に注射することができる注射器を提供することも目的とする。
【００１３】
さらに、ユーザの健康状態に合わせた投薬量を正確に決定することができる健康管理支援システムを提供することも目的とする。
【００１４】
【課題を解決するための手段】
本発明のある局面に係る投薬量決定支援装置は、薬剤の投与量の決定を支援する投薬量決定支援装置であって、ユーザの体内または対表面から得られる生体情報を測定する測定部と、前記生体情報に基づいて投薬量を演算する投薬量演算部と、前記投薬量演算部で演算された前記投薬量を前記ユーザに通知する通知部とを備えることを特徴とする。
【００１５】
この構成によると、測定部において生体情報が測定され、生体情報に基づいて投薬量が演算され、ユーザに通知される。このため、生体情報からユーザの健康状態が把握され、それに合わせた投薬量が正確に決定される。ここで、生体情報とは、例えば、血液や唾液等の試料特性（血糖値、コレステロール値等）のことである。
【００１６】
好ましくは、前記投薬量演算部は、前記生体情報と投薬量との対応関係を記憶させるための対応メモリと、前記対応関係を参照し、前記生体情報に対応する前記投薬量を演算する演算部とを有することを特徴とする。
【００１７】
さらに好ましくは、投薬量決定支援装置は、さらに、ネットワークを介して外部端末に接続され、外部端末との通信を制御する通信制御部と、前記通信制御部を介して外部入力を受付け、前記外部入力に基づいて前記対応メモリに記憶されている前記対応関係の内容を書換える対応関係書換え部を備えていてもよい。
【００１８】
この構成によると、外部から対応関係が書換え可能である。このため、ユーザは、体調に合わせた最適な投薬量を常に決定することができる。
【００１９】
さらに好ましくは、投薬量決定支援装置は、さらに、前記外部入力の入力者の認証を行なう外部入力認証部を備え、前記対応関係書換え部では、前記入力者が許可された者である場合に限り、前記外部入力に基づいて前記対応メモリに記憶されている前記対応関係の内容を書換えるようにしてもよい。
【００２０】
この構成によると、医師等の予め許可されたもの以外が対応関係を書き換えられない。このため、ユーザは、安心して投薬量決定支援装置を使用することができる。
【００２１】
好ましくは、投薬量決定支援装置は、さらに、前記投薬量を記憶させるための投薬量メモリと、演算された前記投薬量を演算時刻とともに前記投薬量メモリに格納する投薬量格納部と、前記生体情報を記憶させるための生体情報メモリと、前記測定部で測定された前記生体情報を測定時刻とともに前記生体情報メモリに格納する生体情報格納部とを備えていてもよい。
【００２２】
この構成によると、投薬量や生体情報が演算時刻や測定時刻とともに記憶される。このため、それらの情報を健康管理に役立てることができる。
【００２３】
さらに好ましくは、投薬量決定支援装置は、さらに、ユーザの体調を計測する体調計測部と、前記ユーザの体調を記憶させるための体調メモリと、前記ユーザの体調を計測時刻とともに前記体調メモリに格納する体調格納部とを備えていてもよい。
【００２４】
この構成によると、ユーザの体調をメモリに記憶することができる。このため、それらの情報を健康管理に役立てることができる。ここで、ユーザの体調とは、例えば、血圧、脈拍、体温などが考えられる。特に、糖尿病患者の場合には、合併症として動脈硬化を引き起こす場合があるため、血圧を測定することは重要である。
【００２５】
本発明の他の局面に係る注射器は、投薬量を自動的に設定可能な注射器であって、ユーザの体内または体表面から得られる生体情報を測定する測定部と、前記生体情報に基づいて投薬量を演算する投薬量演算部と、前記投薬量演算部で演算された前記投薬量の薬剤を注射する注射部とを備えることを特徴とする。
【００２６】
この構成によると、測定部において生体情報が測定され、生体情報に基づいて投薬量が演算され、その投薬量の薬剤がユーザに注射される。このため、生体情報からユーザの健康状態が把握され、それに合わせた投薬量が正確に注射される。特に、この注射器は、投薬量を決定する機能と、薬剤の注射機能を兼ね備えている。このため、ユーザは投薬量決定支援装置と注射器とを別々に携行する必要がなく、注射器の携帯性が向上する。
【００２７】
本発明のさらに他の局面に係る健康管理支援システムは、ユーザの健康管理を支援する健康管理支援システムであって、ユーザの体内または体表面から得られる生体情報と薬剤の投与量との対応関係を参照し、前記ユーザへの投薬量の決定を支援する投薬量決定支援装置と、ネットワークを介して前記投薬量決定支援装置に接続され、前記投薬量決定支援装置に前記対応関係を送信するサーバ装置とを備え、前記投薬量決定支援装置は、前記ユーザの前記生体情報を測定する測定部と、前記対応関係を記憶させるための対応メモリと、前記対応関係を参照し、前記生体情報に対応する前記投薬量を演算する演算部と、前記演算部で演算された前記投薬量を前記ユーザに通知する通知部と、前記サーバ装置から受信した前記対応関係で前記対応メモリに記憶されている前記対応関係を書換える対応関係書換え部とを有することを特徴とする。
【００２８】
この構成によると、投薬量決定支援装置の測定部において生体情報が測定され、生体情報と投薬量との対応関係に基づいて、投薬量が演算され、ユーザに通知される。このため、生体情報からユーザの健康状態が把握され、それに合わせた投薬量が正確に決定される。また、最新の対応関係がサーバ装置より送信されるため、投薬量決定支援装置は、ユーザに最適な投薬量を決定することができる。
【００２９】
本発明のさらに他の局面に係るサーバ装置は、ユーザへの薬剤の投与量の決定を支援する投薬量決定支援装置とネットワークを介して接続され、前記投薬量決定支援装置との間で各種データの授受を行なうサーバ装置であって、ユーザの体内または体表面から得られる生体情報と投薬量との対応関係を記憶させるための対応メモリと、前記投薬量決定支援装置より前記生体情報を受信する手段と、前記対応メモリを参照し、受信された前記生体情報に対応する前記投薬量を演算する演算部と、前記演算部で演算された前記投薬量を前記投薬量決定支援装置に送信する手段とを備えることを特徴とする。
【００３０】
この構成によると、投薬量決定支援装置が投薬量を演算できなくとも、サーバ装置を用いることにより、生体情報と投薬量との対応関係に基づいて、投薬量が演算され、投薬量決定支援装置に送信される。このため、生体情報からユーザの健康状態が把握され、それに合わせた投薬量が正確に決定される。
【００３１】
本発明のさらに他の局面に係るサーバ装置は、ユーザへの薬剤の投与量の決定を支援する投薬量決定支援装置とネットワークを介して接続され、前記投薬量決定支援装置との間で各種データの授受を行なうサーバ装置であって、ユーザの体内または体表面から得られる生体情報と投薬量との対応関係を記憶させるための対応メモリと、前記投薬量決定支援装置より前記生体情報および前記投薬量を受信する手段と、前記対応メモリを参照し、受信された前記生体情報に対応する前記投薬量が認証可能か否かを判断する判断部と、前記判断部での判断結果を前記投薬量決定支援装置に送信する手段とを備えることを特徴とする。
【００３２】
この構成によると、投薬量決定支援装置のユーザが補正などにより投薬量を変更した場合であっても、その投薬量が妥当か否かをサーバ装置に問い合わせることができる。このため、誤った量の薬剤が投与されるのを防止することができる。
【００３３】
本発明のさらに他の局面に係る履歴データの通信方法は、ユーザの使用する端末装置と前記端末装置に接続される健康管理者の使用するサーバ装置とを備える健康管理支援システムにおける公開鍵暗号方式を用いた履歴データの通信方法であって、前記端末装置が、ユーザの健康状態に関する履歴データにユーザの秘密鍵を用いて署名を施すステップと、前記端末装置が、前記署名の施された前記履歴データを前記サーバ装置に送信するステップと、前記サーバ装置が、前記署名の施された前記履歴データを受信するステップと、前記サーバ装置が、登録されたユーザの公開鍵を用いて前記履歴データの署名を検証するステップとを含むことを特徴とする。
【００３４】
この構成によると、履歴データに公開鍵暗号方式を用いた署名が施されている。このため、健康管理者は、どのユーザの使用する端末装置から履歴データを受取ったのかを確実に知ることができ、履歴データの信頼性を高めることができる。ここで、健康管理者とは、例えば、医師、歯科医師、薬剤師、看護士、保健士、栄養士等である。
【００３５】
本発明のさらに他の局面に係る対応関係の通信方法は、ユーザの使用する投薬量決定支援装置と前記投薬量決定支援装置に接続される健康管理者の使用するサーバ装置とを備える健康管理支援システムにおける公開鍵暗号方式を用いた対応関係の通信方法であって、前記対応関係は、ユーザの体内または体表面から得られる生体情報と投薬量との対応を示し、前記投薬量決定支援装置では、前記対応関係を参照し、前記生体情報から前記投薬量を求め、前記サーバ装置が、前記対応関係に前記健康管理者の秘密鍵を用いて署名を施すステップと、前記サーバ装置が、前記署名の施された前記対応関係を前記投薬量決定支援装置に送信するステップと、前記投薬量決定支援装置が、前記署名の施された前記対応関係を受信するステップと、前記投薬量決定支援装置が、登録された前記健康管理者の公開鍵を用いて前記対応関係の署名を検証するステップとを含むことを特徴とする。
【００３６】
この構成によると、対応関係に公開鍵暗号方式を用いた署名が施されている。このため、ユーザは、どの健康管理者の私用するサーバ装置から対応関係を受取ったのかを確実に知ることができ、当該対応関係の信頼性を高めることができる。
【００３７】
【発明の実施の形態】
（実施の形態１）
以下、図面を参照しながら本発明の実施の形態１に係る投薬量決定支援装置について説明する。なお、以下に説明する本発明の各実施の形態において、同様の機能を有する構成要素については適宜同一の参照符号を付す。このため、その詳細な説明は適宜省略する。
【００３８】
図１は、本発明の実施の形態１に係る投薬量決定支援装置の外観図である。投薬量決定支援装置２０は、本体部２２と、センサケース２４とを備える。
【００３９】
本体部２２は、センサ２８と、センサ装着部２６と、表示部３４と、データ入力部３６と、入出力端子３８と、スピーカ３２と、時計機能（図示せず）とを含む。
【００４０】
センサ装着部２６は、本体部２２の下部に位置し、センサ２８が装着可能である。センサ２８は、先端部に位置し、試料液（例えば、血液）が点着される点着部３０と、試料液中のグルコースに反応する酵素（例えば、グルコースオキシターゼ等）を含む試薬層（図示せず）と、一対の電極（図示せず）とを含む。試薬層は、好ましくは電子伝達体（例えば、フェリシアン化カリウム等）をさらに含む。
【００４１】
センサケース２４はセンサ装着部２６との嵌合部を有し、携帯時等にはセンサ装着部２６に装着されることにより、ホコリ等が本体部２２に進入するのを防止する。また、センサ２８を装着した状態でセンサケース２４を装着して携帯すれば、外出中等に血糖値測定の準備を手早く行なうことができる。この場合、センサケース２４に吸湿剤を含めて、センサ２８の吸湿を防止してもよい。
【００４２】
表示部３４には、測定した血糖値や、投与すべきインスリン量などの情報が表示される。これらの情報は、視力の低下した患者のためスピーカ３２を通じ音声によっても通知される。
【００４３】
データ入力部３６は、本体部２２に情報を入力するために用いられる。
【００４４】
入出力端子３８は、データを外部と入出力するために設けられている。
【００４５】
図２は、投薬量決定支援装置２０の本体部２２のハードウェア構成を示す図である。本体部２２は、電圧印加部４２と、電流／電圧変換部４４と、Ａ／Ｄ（Ａｎａｌｏｇ　ｔｏ　Ｄｉｇｉｔａｌ）部４６と、メモリ４８と、ＣＰＵ（Ｃｅｎｔｒａｌ　Ｐｒｏｃｅｓｓｉｎｇ　Ｕｎｉｔ）５０と、音声処理部５２と、データ入力部３６と、表示部３４とを含む。
【００４６】
電圧印加部４２は、センサ２８に電圧を印加し、センサ２８の駆動電源としての役割を果たす。
【００４７】
電流／電圧変換部４４は、センサ２８の電極から出力される電流を電圧に変換して出力する。
【００４８】
Ａ／Ｄ変換部４６は、電流／電圧変換部４４から出力される電圧値をパルスに変換する。
【００４９】
ＣＰＵ５０は、Ａ／Ｄ変換部４６より出力されるパルス値から血糖値を算出する演算処理等を行なう。
【００５０】
メモリ４８は、電流／電圧変換部４４より出力されるパルス値と血糖値との対応を示す測定テーブルを記憶する測定テーブル格納エリア４８ａと、血糖値とインスリン量との対応を示す演算テーブルを記憶する演算テーブル格納エリア４８ｂと、測定した血糖値、算出したインスリンの量および日時等の履歴データを記憶する履歴データ格納エリア４８ｃとを含む。
【００５１】
音声処理部５２は、ＣＰＵ５０からの指示を受けて音声処理を行ない、スピーカ３２を通じて音声を出力する。
【００５２】
本体部２２は、入出力端子３８を介して外部のＰＣ（Ｐｅｒｓｏｎａｌ　Ｃｏｍｐｕｔｅｒ）５８と接続される。
【００５３】
以下、図３および図４を用いて、ユーザおよび投薬量決定支援装置２０の動作について説明する。なお、以下、試料液としては、人体の体液とりわけ血液を用いた測定について説明するが、体液としては細胞間質液等を用いてもよい。
【００５４】
ユーザは、血糖値測定に先だって、演算テーブルをメモリ４８の演算テーブル格納エリア４８ｂに記憶させる。演算テーブルを記憶させる方法としては、データ入力部３６から演算テーブルのデータを入力する方法と、入出力端子３８にＰＣ５８を接続し、ＰＣ５８から演算テーブルのデータを入力する方法とがある。なお、演算テーブルは、患者の個人差、注射時刻、インスリンの種類等種々の条件に応じて医師の指導のもと作成される。
【００５５】
図３は、演算テーブル格納エリア４８ｂに記憶されている血糖値に対応したインスリン量を示す演算テーブルの一例を示す図である。図３において、血糖値（ｍｇ／ｄｌ）に対応するインスリン量（単位）は速攻型インスリンを用いた場合の単位を示している。ここで、「単位」とは、インスリンの生物学的活性の強さを示しており、国際標準品に準じて重量に換算した場合、１単位は０．０３５３ｍｇとなる。
【００５６】
図３（ａ）は、血糖値の測定時刻をｔとした場合、５時≦ｔ＜１０時の演算テーブルＴ１（朝食前のインスリン注射を想定したもの）を示している。図３（ｂ）は、１０時≦ｔ＜２１時の演算テーブルＴ２（昼食前および夕食前のインスリン注射を想定したもの）を示している。図３（ｃ）は、２１時≦ｔ＜５時の演算テーブルＴ３（夜間の間食前のインスリン注射を想定したもの）を示している。例えば、演算テーブルＴ１において、血糖値が１０１〜１５０（ｍｇ／ｄｌ）であるとき、インスリン量は７（単位）となる。
【００５７】
図４は、投薬量決定支援装置２０の処理の流れを示すフローチャートである。ユーザは、血糖値測定の準備として、センサケース２４を取り外し、センサ装着部２６にセンサ２８を装着する。
【００５８】
ユーザが投薬量決定支援装置２０の電源スイッチ（図示せず）をＯＮにすることで、投薬量決定支援装置２０の処理が開始される。なお、センサ２８がセンサ装着部２６に挿入されると自動的に投薬量決定支援装置２０の電源スイッチが入るようにしてもよい。
【００５９】
ＣＰＵ５０は、センサ装着部２６にセンサ２８が確実に装着されているか否かを判別する（Ｓ２）。具体的には、ＣＰＵ５０は、センサ２８が装着されると導通するスイッチ（図示せず）の導通を検出し、センサ２８が確実に装着されているか否かを判別する。
【００６０】
一定期間内に、センサ２８の導通が確認できなければ（Ｓ２でＮＯ）、センサ２８が挿入されていないと認識され、センサ挿入通知が行われる（Ｓ４）。具体的には、表示部３４に、センサ２８を挿入するよう喚起する表示が行なわれる。また、音声処理部５２で音声処理が施された警告音またはメッセージがスピーカ３２を通じて発声される。特に、糖尿病の合併症で視力の弱ったユーザにとっては音声による通知が好ましい。したがって、本明細書中で「通知」という場合には、画面表示による通知または発声による通知を指すものとする。ユーザが、センサ２８を挿入すれば、再びＳ２から処理が開始される。
【００６１】
一定期間内に、センサ２８の導通が確認されると（Ｓ２でＹＥＳ）、ＣＰＵ５０は、ユーザが血液をセンサ２８の点着部３０に点着するように通知を行なう（Ｓ６）。この通知に基づいて、ユーザは、自己の人体から試料液として血液を採取し、この採取した血液をセンサ２８の点着部３０に点着することとなる。
【００６２】
次に、ＣＰＵ５０は、点着された血液が、血糖値を測定するために十分な量であるか否かを判別する（Ｓ８）。具体的には、センサ２８の電極間に、予め電圧印加部４２から電圧を印加する。ＣＰＵ５０は、電流／電圧変換部４４を介してＡ／Ｄ変換部４６から出力されるパルス値の変化を検出することで血液の点着を検知し、かつその後一定期間経過後のパルス値の変動から血液が十分点着されたか否かを判別する。
【００６３】
血液の量が閾値（測定に十分な量）以下である場合には（Ｓ８でＮＯ）、試料液の量が不足していると認識され、試料液不足エラー通知が行なわれ（Ｓ１８）、測定処理が終了する。これにより、投薬量決定支援装置２０による血糖値の誤測定を防止することができる。
【００６４】
血液の量が閾値よりも大きい場合には（Ｓ８でＹＥＳ）、ＣＰＵ５０は血糖値を測定する（Ｓ１０）。具体的には、点着された血液がセンサ２８の内部に吸引されると、センサ２８の試薬層が溶解する。試薬層に含まれている酵素と、血液中のグルコースとの間で酵素反応が進行し、同時に還元型の電子伝達体（例えばフェロシアン化イオン）が生じる。ＣＰＵ５０は、センサ２８の電極間に電圧印加部４２から電圧を印加する。このとき、センサ２８の電極間には、還元型の電子伝達体、つまり血液中のグルコース量に応じた電流が流れる。電流／電圧変換部４４は、電極間に流れる電流を電圧に変換し、出力する。Ａ／Ｄ変換部４６は、電流／電圧変換部４４より出力される電圧をパルスに変換し、ＣＰＵ５０に入力する。ＣＰＵ５０は、メモリ４８の測定テーブル格納エリア４８ａに記憶されている電流／電圧変換部４４より出力されるパルス値と血糖値との対応を示す測定テーブルを参照し、血糖値を算出する。
【００６５】
血糖値測定終了後、ＣＰＵ５０は、投与すべきインスリン量の演算を行なう（Ｓ１２）。具体的には、ＣＰＵ５０が、メモリ４８の演算テーブル格納エリア４８ｂに記憶されている演算テーブルを参照し、測定した血糖値の値からインスリン量を算出する。一例として、演算テーブル格納エリア４８ｂに記憶されている演算テーブルが、図３に示される演算テーブルＴ１〜Ｔ３である場合について説明する。ＣＰＵ５０は、本体部２２に備えられた時計機能より血糖値の測定時刻を検出し、測定時刻に応じて、演算テーブルＴ１〜Ｔ３のうちのいずれかを選択する。ＣＰＵ５０は、選択した演算テーブルを参照することにより、測定した血糖値に対応するインスリン量を算出する。これにより、ユーザは、自身でインスリン量を計算する手間を省くことができ、血糖値測定からインスリン注射までの時間を短縮化することができる。また、正確に注射すべきインスリン量を算出することができる。
【００６６】
ＣＰＵ５０は、測定した血糖値および算出したインスリン量をユーザに通知する（Ｓ１４）。また、ＣＰＵ５０は、メモリ４８の履歴データ格納エリア４８ｃに、測定した血糖値と、算出したインスリン量と、測定日時とを記憶する（Ｓ１６）。
【００６７】
以上説明した処理により、ユーザは、測定した血糖値から注射すべきインスリン量を知ることができる。このインスリン量をもとに、ユーザはインスリンの注射を行なう。
【００６８】
また、ユーザは、上述の履歴データ格納エリア４８ｃに格納された履歴データをネットワークを経由して医師のＰＣ５８に送信し、医師の適切な処置を受けることができる。履歴データに基づいて、医師は、ユーザが使用する投薬量決定支援装置２０のメモリ４８の演算テーブル格納エリア４８ｂに格納された演算テーブルを変更することが可能である。
【００６９】
図５は、ユーザの使用する投薬量決定支援装置２０による履歴データ送信処理のフローチャートである。なお、ユーザの使用する投薬量決定支援装置２０と医師が使用するＰＣ５８との間のデータの送受信には、公開鍵暗号方式の一種であるＲＳＡ（Ｒｉｖｅｓｔ　Ｓｈａｍｉｒ　Ａｄｌｅｍａｎ）アルゴリズムが用いられるものとする。このため、投薬量決定支援装置２０のメモリ４８には、ユーザの公開鍵および秘密鍵と、医師の公開鍵とが予め記憶されているものとする。また、医師が使用するＰＣ５８には、患者であるユーザの公開鍵と、医師の公開鍵および秘密鍵とが予め記憶されているものとする。
【００７０】
投薬量決定支援装置２０のＣＰＵ５０は、入出力端子３８を介してインターネット等のネットワークへの接続を確立する（Ｓ２２）。ＣＰＵ５０は、履歴データにユーザの秘密鍵による電子署名を施し（Ｓ２４）、電子署名済みの履歴データを医師のＰＣ５８へ送信する（Ｓ２６）。ＣＰＵ５０は、医師のＰＣ５８からデータを受信するまで待機する。所定時間たってもデータを受信することができない場合には（Ｓ２８でＮＯ）、処理を終了する。所定時間内にデータを受信した場合には（Ｓ２８でＹＥＳ）、医師の公開鍵を用いてデータに施された署名の検証を行なう（Ｓ３０）。受信したデータが医師から送信されたものでなければ（Ｓ３２でＮＯ）、処理を終了する。受信したデータが医師から送信されたものであれば（Ｓ３２でＹＥＳ）、ＣＰＵ５０は、そのデータに含まれる演算テーブルを演算テーブル格納エリア４８ｂに上書きし、演算テーブルの更新を行なう（Ｓ３４）。
【００７１】
図６は、医師が使用するＰＣ５８による履歴データ受信処理のフローチャートである。ＰＣ５８は、図５に示される投薬量決定支援装置２０によるネットワーク接続確立処理（Ｓ２２）に応答して、ネットワークへの接続を確立する（Ｓ４２）。ＰＣ５８は、投薬量決定支援装置２０より履歴データを受信する（Ｓ４３）。ＰＣ５８には、医師の担当する患者の公開鍵が患者の人数分だけ格納されている。このため、ＰＣ５８は、患者の公開鍵を用いて、履歴データに施された電子署名の検証を行ない、どの患者の履歴データであるのかの確認を行なう（Ｓ４４）。履歴データに施されている署名がいずれの患者のものでもないと認識されれば（Ｓ４６でＮＯ）、処理を終了する。
【００７２】
履歴データに施されている署名がいずれかの患者のものであれば（Ｓ４６でＹＥＳ）、ＰＣ５８は、当該患者の履歴データに基づいて演算テーブルを作成しなおす（Ｓ４８）。なお、演算テーブルの作成の際には、医師がデータ作成に関与するようになっている。演算テーブルが作成されると、ＰＣ５８は、医師の秘密鍵を用いて作成した演算テーブルに電子署名を施し（Ｓ５０）、演算テーブルを投薬量決定支援装置２０へ送信する（Ｓ５２）。
【００７３】
以上説明したように、本実施の形態によれば、投薬量決定支援装置２０は、測定した血糖値の測定結果から演算テーブル格納エリア４８ｂに記憶されている演算テーブルを参照することにより、ユーザに投与すべきインスリンの量を求めている。このため、ユーザは投与すべきインスリンの量を正確に知ることができる。
【００７４】
また、医師のＰＣ５８に血糖値の測定結果等を含む履歴データが送信され、履歴データに基づいて、再度演算テーブルが作成しなおされる。このため、ユーザの健康状態に合わせた投薬量を正確に決定することができる。
【００７５】
さらに、投薬量決定支援装置２０とＰＣ５８との通信の際には、送受信されるデータに公開鍵暗号方式による署名を行ない、データの出所を明確にさせている。このため、ユーザの側から見れば、更新される演算テーブルはユーザの担当医師により作成されたものであることが確実に保証される。このため、安心して投薬量決定支援装置２０を使用することができる。また、医師の側から見れば、受信した履歴データは、自身の患者のものであることが確実に保証される。このため、ユーザの健康状態に合わせた演算テーブルを間違いなく作成することができる。
【００７６】
（実施の形態２）
以下、図面を参照しながら本発明の実施の形態２に係る投薬量決定支援装置について説明する。
【００７７】
図７は、本発明の実施の形態２に係る投薬量決定支援装置の外観図である。投薬量決定支援装置６０は、腕時計型の投薬量決定支援装置６０であり、本体部６２と、ベルト６８とを備える。
【００７８】
本体部６２は、センサ２８と、表示部３４と、データ入力部３６と、光センサ６４と、脈拍センサ６６と、スピーカ（図示せず）と、赤外線通信部（図示せず）と、時計機能（図示せず）とを含む。
【００７９】
センサ２８は、本体部６２の下部に位置し、使用時のみ本体部６２に装着する。
【００８０】
光センサ６４は、バイオメトリクス認証に用いられる。バイオメトリクス認証とは、指紋や血管のパターンなどにより個人を特定する認証方法である。脈拍センサ６６は、脈拍の測定に用いられる。なお、脈拍をもとにして血圧を測定することも可能である。
【００８１】
赤外線通信部は、Ｂｌｕｅｔｏｏｔｈに代表される近距離無線通信技術により外部のＰＣ５８に接続される。
【００８２】
図８は、投薬量決定支援装置６０の本体部６２のハードウェア構成を示す図である。本体部６２は、図２に示される投薬量決定支援装置２０の本体部２２において、入出力端子３８の代わりに赤外線通信部７２を備え、かつ新たに光センサ６４および脈拍センサ６６を備える。
【００８３】
上述のように投薬量決定支援装置６０は、センサ２８を使用することにより血糖値を測定することができる。センサ２８による血糖値測定方法は、図４に示される実施の形態１に係る血糖値測定方法と同様である。なお、脈拍センサ６６を用いて測定された脈拍および血圧は、メモリ４８の履歴データ格納エリア４８ｃに計測時刻とともに格納される。
【００８４】
赤外線通信部７２を介した履歴データの送受信処理は、図５および図６に示したものと同様である。
【００８５】
また、データ入力部３６から演算テーブルなどのデータを入力することも可能である。この場合には、予めデータを入力する人物の認証を行なう必要がある。このため、医師または患者の指紋の画像データより画像処理により抽出された特徴データが予めメモリ４８に記憶されているものとする。
【００８６】
データ入力部３６からデータ入力する際には、まず、ユーザは光センサ６４の受光部に指を接触させる。ＣＰＵ５０は、光センサ６４を介して指紋の画像データを読み取り、画像データに対し画像処理を施すことにより特徴データを抽出する。ＣＰＵ５０は、抽出された特徴データがメモリ４８に登録されている特徴データと一致するか否かを判断する。両特徴データが一致すると判断した場合にのみ、ＣＰＵ５０は、データ入力部３６からの入力を受付ける。
【００８７】
以上説明したように、本実施の形態によると、実施の形態１の作用、効果に加え、脈拍や血圧などの履歴情報も医師に送信することができる。このため、医師は、患者の健康状態をより詳細に知ることができ、患者により適合した演算テーブルを提供することができる。特に、糖尿病患者は、合併症として動脈硬化を引き起こしやすい。このため、糖尿病患者の血圧は、健康状態を知る上でも特に重要である。
【００８８】
（実施の形態３）
以下、図面を参照しながら本発明の実施の形態３に係る注射器について説明する。
【００８９】
図９は、本発明の実施の形態３に係る注射器の外観図である。注射器８０は、本体部８２と、センサケース２４と、注射針ケース８６とを備える。
【００９０】
本体部８２は、センサ２８と、センサ装着部２６と、表示部３４と、データ入力部３６と、入出力端子３８と、スピーカ３２と、注射針８４と、注射針装着部８８と、インスリンカートリッジ９０と、インスリンホルダ９２と、ピストン９４と、設定部９６と、注射ボタン９８と、時計機能（図示せず）とを含む。
【００９１】
注射針装着部８８は、本体部８２の先端部に位置し、注射針８４が装着可能である。ここで、本体部８２に装着されるセンサ２８および注射針８４は、本体部８２から同じ方向に突出していることが好ましい。これにより、ユーザは、血液等の体液が付着することの多いセンサ２８および注射針８４に向ける注意を一箇所に特定できる。
【００９２】
センサケース２４および注射針ケース８６の各々は、本体部８２との嵌合部を有し、携帯時等の本体部８２の不使用時には、本体部８２に装着されている。これにより、携帯時にホコリ等が本体部８２に侵入するのを防止する。また、センサ２８を装着した状態でセンサケース２４を装着して携帯すれば、外出中等に血糖値測定の準備を手早く行うことができる。この場合、センサケース２４に吸湿剤を含めて、センサ２８の吸湿を防止してもよい。
【００９３】
本体部８２には、血糖値を測定するための機構と、インスリンを注射するための機構とが１つの筐体内に一体に備えられている。インスリンカートリッジ９０には、インスリンが収納されている。インスリンホルダ９２は、筒状の形状をしており、内部にインスリンカートリッジ９０を保持する。ピストン９４は、インスリンカートリッジ９０内のインスリンを、注射針装着部８８を介して注射針８４に押し出す。設定部９６は押出すインスリンの注射量を設定するためにユーザが使用する。注射ボタン９８は、インスリンを注射するためにユーザが使用する。
【００９４】
図１０は、注射器８０の本体部８２のハードウェア構成を示す図である。本体部８２は、図２に示される投薬量決定支援装置２０の本体部２２の構成に加えて、注射針８４と、インスリンカートリッジ９０と、ピストン９４と、注射ボタン９８と、設定部９６と、インスリン検出部１０２と、注射針検出部１０４とを新たに備える。
【００９５】
履歴データ格納エリア４８ｃには、測定した血糖値、算出したインスリンの量および設定したインスリンの量が、測定時刻、算出時刻および設定時刻とともに記憶される。
【００９６】
インスリン検出部１０２は、インスリンの残量や種類等、インスリンに関する情報を検出する。注射針検出部１０４は注射針８４が装着されているか否かを検出する。
【００９７】
図１１は、注射器８０の処理の流れを示すフローチャートである。ユーザは、血糖値測定およびインスリン注射の準備として、センサケース２４および注射針ケース８６を取り外し、センサ装着部２６および注射針装着部８８にセンサ２８および注射針８４をそれぞれ装着する。その後、血糖値測定時に注射針８４が誤って手に刺さることのないように注射針ケース８６を再び装着しておくことが好ましい。また、ユーザは、インスリンカートリッジ９０に十分なインスリンが収納されているかを確認し、必要により新たなインスリンカートリッジ９０を取り付ける。
【００９８】
ユーザが本体部８２の電源スイッチ（図示せず）をＯＮにすることで、注射器８０による処理が開始される。ＣＰＵ５０は、センサ装着部２６にセンサ２８が確実に装着されているか否かを判別する（Ｓ６２）。この判別処理は、図４に示される実施の形態１におけるセンサ挿入判別処理（Ｓ２）と同様である。
【００９９】
一定期間内に、センサ２８の導通が確認できなければ（Ｓ６２でＮＯ）、センサ２８が挿入されていないと認識され、センサ挿入通知が行なわれる（Ｓ６４）。この通知処理は、図４に示される実施の形態１におけるセンサ挿入通知処理（Ｓ４）と同様である。
【０１００】
一定期間内に、センサ２８の導通が確認されると（Ｓ６２でＹＥＳ）、ＣＰＵ５０は、インスリンの残量が、所定の閾値（一回の注射に必要なインスリン量）より大きいか否かを判別する（Ｓ６６）。具体的には、図１０に示されるインスリン検出部１０２が、インスリンホルダ９２にインスリンカートリッジ９０が装着されているか否かを確認し、ピストン９４の位置からインスリンの残量を検出する。
【０１０１】
インスリンカートリッジ９０が装着されていない場合またはインスリンの残量が所定の閾値以下であれば（Ｓ６６でＮＯ）、ＣＰＵ５０は、インスリンの残量がないと認識し、インスリンカートリッジ９０の交換の通知を行なう（Ｓ６８）。これにより、インスリンの残量が不足し、設定したインスリン量を注射できないことを回避可能である。ユーザが新しいインスリンカートリッジ９０をインスリンホルダ９２に装着することにより、再びセンサ挿入判別処理（Ｓ６２）が実行される。なお、インスリン検出部１０２は、インスリンカートリッジ９０の情報からインスリンの種類を検出する機能を備えていてもよい。
【０１０２】
インスリンカートリッジ９０が装着されており、かつインスリンの残量が閾値よりも大きければ（Ｓ６２でＹＥＳ、Ｓ６６でＹＥＳ）、ＣＰＵ５０は、注射針８４が注射針装着部８８に確実に装着されているか否かを判別する（Ｓ７０）。具体的には、注射針検出部１０４が、注射針装着部８８に設けられた注射針８４が装着されると導通するスイッチ（図示せず）の導通状態を検出する。この導通状態から注射針８４が確実に装着されているか否かが検出される。
【０１０３】
注射針検出部１０４でスイッチの導通が確認できない場合には（Ｓ７０でＮＯ）、ＣＰＵ５０は、注射針８４が確実に装着されていないと認識し、針装着通知を行なう（Ｓ７２）。これにより、血糖値測定中またはインスリン注射の際に、注射針８４が注射針装着部８８から外れるという危険を回避することができる。ユーザが、注射針８４を注射針装着部８８に装着することにより、再びセンサ挿入判別処理（Ｓ６２）が実行される。
【０１０４】
注射針検出部１０４でスイッチの導通が確認され、注射針８４が注射針装着部８８に確実に装着されていると判断されると（Ｓ７０でＹＥＳ）、ＣＰＵ５０は、ユーザが血液をセンサ２８の点着部３０に点着するように通知を行なう（Ｓ７４）。この通知に基づいて、ユーザは、自己の人体から試料液として血液を採取し、この採取した血液をセンサ２８の点着部３０に点着することとなる。
【０１０５】
次に、ＣＰＵ５０は、点着された血液が、血糖値を測定するために十分な量であるか否かを判別する（Ｓ７６）。この判別処理は、図４に示される実施の形態１における試料液判別処理（Ｓ８）と同様である。
【０１０６】
血液の量が閾値（測定に十分な量）以下である場合には（Ｓ７６でＮＯ）、試料液の量が不足していると認識され、試料液不足エラー通知が行なわれ（Ｓ７８）、処理が終了する。これにより、投薬量決定支援装置２０による血糖値の誤測定およびそれに伴うインスリン量の誤判定を防止することができる。
【０１０７】
血液の量が閾値よりも大きい場合には（Ｓ７６でＹＥＳ）、ＣＰＵ５０は血糖値を測定する（Ｓ８０）。この血糖値測定処理は、図４を参照して説明した実施の形態１における血糖値測定処理（Ｓ１０）と同様である。
【０１０８】
血糖値測定終了後、ＣＰＵ５０は、投与すべきインスリン量の演算を行なう（Ｓ８２）。このインスリン量演算処理は、図４を参照して説明した実施の形態１におけるインスリン量演算処理（Ｓ１２）と同様である。
【０１０９】
ＣＰＵ５０は、測定した血糖値および算出したインスリン量をユーザに通知する（Ｓ８４）。また、ＣＰＵ５０は、インスリンの注射量の設定をユーザが行うよう通知を行なう（Ｓ８６）。ユーザは、通知された血糖値、インスリン量を参考にして、必要であれば食事量や運動量なども考慮して、設定部９６を手動で調節することによりインスリンの注射量を設定する。このとき、ＣＰＵ５０は、設定したインスリン量と、その量のインスリンを注射することに同意するか否かの確認メッセージとを通知する（Ｓ８８）。ＣＰＵ５０は、一定期間、ユーザからインスリンを注射することに同意するとの確認の入力がされるのを待つ。当該確認入力がなければ（Ｓ８９でＮＯ）、ＣＰＵ５０は、処理を終了する。
【０１１０】
当該確認入力があれば（Ｓ８９でＹＥＳ）、ＣＰＵ５０は、メモリ４８の履歴データ格納エリア４８ｃに、測定した血糖値と、算出したインスリン量と、設定したインスリン量とを少なくとも測定した日または時分と共に記憶する（Ｓ９０）。
【０１１１】
最後に、ＣＰＵ５０は、インスリンを注射するようにユーザに通知する（Ｓ９２）。この通知に応答して、ユーザは注射針８４を自己の腕等に刺し、注射ボタン９８を押す。これにより、ピストン９４がインスリンカートリッジ９０内のインスリンを注射針８４に押出す。押出されたインスリンは、注射針８４を介してユーザの体内に注入される。
【０１１２】
また、入出力端子３８を介した履歴データの送受信処理は、図５および図６に示したものと同様である。
【０１１３】
また、データ入力部３６から演算テーブルなどのデータを入力することも可能である。この場合には、予め医師およびユーザに割り当てられたアカウント名とパスワードとがメモリ４８に記憶されているものとする。データ入力部３６から演算テーブルなどのデータを入力したり、履歴データを参照したりする際には、それらの処理に先立ち、アカウント名とパスワードの入力が求められる。この求めに従い、医師またはユーザがアカウント名とパスワードとを入力し、それらがメモリ４８に記憶されたものと一致すれば、上述の処理が許可される。
【０１１４】
以上説明したように、本実施の形態によると、上述の実施の形態の作用、効果に加えて、以下に示すような作用、効果を有する。
【０１１５】
すなわち、注射器８０は、血糖値を測定する機能と、インスリンを注射する機能とを兼ね備えている。このため、ユーザは血糖値測定器とインスリン注射器とを別々に携行する必要がなく、注射器の携帯性が向上する。
【０１１６】
また、ユーザは、注射器８０を片手で保持しつつ血糖値を測定し、かつインスリンを注射することができる。このように、血糖値測定とインスリン注射との間で装置の取替えの必要がない。また、注射器８０は、ユーザに試料液の点着、インスリンの設定量の調節および注射を喚起する通知を行い、ユーザは、血糖値の測定やインスリンの注射の手順およびタイミングを知ることができる。このため、注射器の操作性が向上する。
【０１１７】
さらに、注射器８０は、測定した血糖値、算出したインスリン量、設定したインスリン量（注射したインスリン量）を、少なくとも測定した日または時分とともにメモリ４８に記憶する。このため、ユーザは、この履歴を病状の把握や自己管理に役立てることができる。なぜならば、インスリン治療においては、血糖値の責任インスリンはどこにあるかを把握すること、すなわち、注射したインスリンがいつの血糖値の責任を持っているのかを把握することが重要だからである。特に、低血糖の症状が起きた場合、インスリンの注射量の誤りであることが多いので、後から血糖値および注射したインスリン量等の履歴を確認できることは、ユーザにとって大きな利点である。
【０１１８】
（実施の形態４）
以下、図面を参照しながら本発明の実施の形態４に係る注射器について説明する。図１２は、本発明の実施の形態４に係る注射器の外観図である。注射器１１０は、本体部１１２と、収納ケース１１４とを備える。
【０１１９】
本体部１１２は、センサ２８と、センサ装着部２６と、表示部３４と、データ入力部３６と、入出力端子３８と、スピーカ３２と、注射針８４と、注射針装着部８８と、インスリンカートリッジ９０と、インスリンホルダ９２と、ピストン９４と、注射ボタン９８と、補正量入力部１１６と、時計機能（図示せず）とを含む。
【０１２０】
補正量入力部１１６は、インスリンの設定量を入力により増減させて補正するために設けられており、補正ボタン１１６ａおよび１１６ｂからなる。ユーザは、補正ボタン１１６ａを押下することによりインスリンの設定量を減少させることができ、表面にマイナス形状の凹凸がある。また、補正ボタン１１６ｂを押下することによりインスリンの設定量を増加させることができ、表面にプラス形状の凹凸がある。
【０１２１】
収納ケース１１４は、センサ２８および注射針８４を収納可能である。注射器１１０の携帯時など、注射器１１０の不使用時には、収納ケース１１４は、本体部１１２に装着される。ユーザは、インスリン注射終了後、センサ２８および注射針８４を装着したまま、収納ケース１１４を本体部１１２に装着させることができる。
【０１２２】
外出先などでは、体液の附着したセンサ２８や、注射針８４を捨てることは難しいため、ユーザにとっての利便性が向上する。また、注射終了後の後片付けを手早くすることができる。さらに、センサ２８や注射針８４を装着した状態で、収納ケース１１４を装着して携帯すれば、外出中等に血糖値測定およびインスリン注射の準備を手早く行うことができる。この場合、収納ケース１１４に吸湿剤を組み込ませておいてもよい。これにより、センサ２８による吸湿を防止することができる。
【０１２３】
図１３は、注射器１１０の本体部１１２のハードウェア構成を示す図である。本体部１１２は、図１０に示される注射器８０の本体部８２の構成において、設定部９６の代わりに設定部１２４を備え、設定部１２４を駆動させるためのモータ１２６を新たに備える。
【０１２４】
図１４は、注射器１１０の処理の流れを示すフローチャートである。血糖値測定およびインスリン注射前におけるユーザの準備は実施の形態３と同様である。また、センサ挿入判別処理（Ｓ１０２）からインスリン量演算処理（Ｓ１２２）までは、図１１を参照して説明した実施の形態３におけるセンサ挿入判別処理（Ｓ６２）からインスリン量演算処理（Ｓ８２）と同様である。このため、その詳細な説明はここでは繰返さない。
【０１２５】
インスリン量を演算した後（Ｓ１２２）、ＣＰＵ５０は、血糖値および算出したインスリン量を通知する。このとき、ＣＰＵ５０は、設定したインスリンの量と、その量のインスリンを注射することに同意するか否かの確認メッセージを合わせて通知する（Ｓ１２４）。
【０１２６】
次に、ＣＰＵ５０は、インスリン量の自動調節を行なう（Ｓ１２６）。具体的には、図１３に示されるＣＰＵ５０とモータ１２６とが調節部として機能し、算出されたインスリン量に応じて、設定部１２４を介して注射ボタン９８の位置を調節する。詳細を図１５に示される本実施の形態に係る調節部の要部を示す概略図を用いて説明する。ここで、モータ１２６は、モータ支持部１３２により本体部１１２に固定されている。はじめに、算出したインスリン量に対応して、モータ１２６がＣＰＵ５０に制御され回転する。次に、モータ１２６の回転が歯車１３４を介して、設定部１２４に伝えられる。設定部１２４は、この回転量に応じて注射ボタン９８を、図１５の矢印Ａ方向（ピストン９４がインスリンを注射針８４に押出す方向を注射方向とした場合の反対方向）に移動させる。これにより、注射ボタン９８は、この移動量の分、注射方向にピストン９４を移動させることが可能となる。このようにして、算出したインスリンの量から、インスリンの注射量が自動的に設定される。
【０１２７】
ユーザは、必要に応じて食事量や運動量なども考慮し、インスリンの設定量を補正してもよい。すなわち、ユーザは、図１２に示される補正ボタン１１６ａまたは１１６ｂを押すことにより、インスリンの設定量を増減させる。すると、ＣＰＵ５０は、ユーザからの補正量の入力の指示があるか否かを判断する（Ｓ１２８）。なお、補正量の入力の指示があるか否かの判断は、インスリン量の自動調節処理（Ｓ１２６）の後、一定期間内に補正量入力部１１６からＣＰＵ５０へ補正指令があるか否かにより行なわれる。
【０１２８】
インスリン量の補正指令があると判断された場合には（Ｓ１２８でＹＥＳ）、ＣＰＵ５０は、ユーザに対して補正により変更されたインスリンの設定量とその量のインスリンを注射することに承諾するか否かの確認メッセージとを通知する（Ｓ１３０）。また、補正により増減したインスリンの量に応じて、再びインスリン量の自動調節処理が行なわれる（Ｓ１３２）。
【０１２９】
補正後のインスリンの量に応じてインスリン量の自動調節がなされた場合（Ｓ１３２）、または補正指令がないと判断された場合（Ｓ１２８でＮＯ）、ＣＰＵ５０は、通知処理（Ｓ１２４またはＳ１３０）での通知に対し、一定期間、ユーザからインスリンを注射することに対する同意の確認入力がされるのを待つ。当該確認入力がなければ（Ｓ１３３でＮＯ）、ＣＰＵ５０は、処理を終了する。
【０１３０】
当該確認入力があれば（Ｓ１３３でＹＥＳ）、ＣＰＵ５０は、メモリ４８の履歴データ格納エリア４８ｃに、測定した血糖値と、算出したインスリン量と、設定したインスリン量とを、少なくとも測定した日または時分と共に記憶する（Ｓ１３４）。
【０１３１】
最後に、ＣＰＵ５０は、インスリンを注射するようにユーザに通知する（Ｓ１３６）。この通知に応答して、ユーザは注射針８４を自己の人体に刺し、注射ボタン９８を押す。これにより、ピストン９４がインスリンカートリッジ９０内のインスリンを注射針８４に押出す。押出されたインスリンは、注射針８４を介してユーザの体内に注入される。
【０１３２】
また、入出力端子３８を介した履歴データの送受信処理は、図５および図６に示したものと同様である。
【０１３３】
さらに、データ入力部３６から演算テーブルなどのデータを入力することも可能である。この入力方法については、実施の形態３に示したものと同様である。
【０１３４】
以上説明したように、本実施の形態によると、上述の実施の形態の作用、効果に加えて、以下に示すような作用、効果を有する。
【０１３５】
すなわち、本実施の形態によると、算出されたインスリン量または補正後のインスリン量に応じて、インスリンの注射量が自動設定される。このため、糖尿病の合併症により視力の低下したユーザや、手指機能の低下したユーザにとって、手動でインスリン量を設定する手間を省き、注射するインスリン量の調整ミスを回避させることができる。
【０１３６】
特に、補正量入力部は、触覚でボタンの概念を認識することができるような構造になっているので、視力の低下したユーザにとって、操作がより容易になる。なお、補正量入力部の凹凸は、プラス、マイナスに限定されるものではなく、例えば右方向および左方向の矢印の形状等でもよい。また、補正量入力部は、ボタンに限定されるものではなく、例えば左右（または前後）に移動して補正量を増減させるレバーでもよいし、回転量により補正量を増減するダイヤル等でもよい。
【０１３７】
また、投薬量の許容範囲をあらかじめメモリ４８に記憶しておき、補正後のインスリン量が許容範囲を超えた場合には、ＣＰＵ５０が警告音や警告メッセージを通知するようにしてもよい。
【０１３８】
（実施の形態５）
以下、図面を参照しながら本発明の実施の形態５に係る健康管理支援システムについて説明する。
【０１３９】
図１６は、本発明の実施の形態５に係る健康管理支援システムの構成を示すブロック図である。健康管理支援システム１４０は、第１の患者が使用する投薬量決定支援装置２０と、第２の患者が使用する投薬量決定支援装置６０と、第３の患者が使用する注射器８０と、第４の患者が使用する注射器１１０と、投薬量決定支援装置２０、投薬量決定支援装置６０、注射器８０および注射器１１０にネットワーク１４２を介して接続された第１〜第４の患者の主治医が使用するＰＣ５８とを含む。
【０１４０】
投薬量決定支援装置２０、注射器８０および注射器１１０とＰＣ５８との間の通信では、インターネット等による長距離通信が可能である。一方、投薬量決定支援装置６０とＰＣ５８との間の通信では、上述のようにＢｌｕｅｔｏｏｔｈ等による近距離無線通信のみが可能である。
【０１４１】
一例として投薬量決定支援装置２０とＰＣ５８との間で行なわれる処理について図１７〜図１９を参照して説明する。
【０１４２】
図１７は、投薬量決定支援装置２０の処理の流れを示すフローチャートである。センサ挿入判別処理（Ｓ１４２）から血糖値測定処理（Ｓ１５０）までは、図４を参照して説明した第１の実施形態に係る投薬量決定支援装置２０のセンサ挿入判別処理（Ｓ２）から血糖値測定処理（Ｓ１０）までと同様である。
【０１４３】
血糖値測定処理（Ｓ１０）が終了した後、投薬量決定支援装置２０は、測定された血糖値をＰＣ５８へ送信し（１５２）、ＰＣ５８から測定された血糖値に対応するインスリン量を受信する（Ｓ１５４）。
【０１４４】
インスリン量を受信した後、投薬量決定支援装置２０のＣＰＵ５０は、血糖値およびインスリン量を通知する（Ｓ１５６）。
【０１４５】
通知処理（Ｓ１５６）が行なわれた後、ＣＰＵ５０は、ユーザからの補正量の入力の指示があるか否かを判断する（Ｓ１５８）。補正後の入力の指示があるか否かの判断は、一定期間内にデータ入力部３６からＣＰＵ５０へ補正指令があるか否かにより行なわれる。
【０１４６】
補正指令があった場合には（Ｓ１５８でＹＥＳ）、ＣＰＵ５０は、血糖値および補正後のインスリン量を通知する（Ｓ１６０）。そして、補正後のインスリン量が適切か否かをＰＣ５８に問い合わせる認証処理を行なう（Ｓ１６２）。認証処理の結果、ＣＰＵ５０は、補正後のインスリン量がＰＣ５８より認証されたか否かを判断する（Ｓ１６４）。補正後のインスリン量がＰＣ５８より認証された場合には（Ｓ１６４でＹＥＳ）、認証済みである旨の通知を行なう（Ｓ１６６）。その後、メモリ４８の履歴データ格納エリア４８ｃに、測定した血糖値と、補正後のインスリン量と、測定日時とを記憶する（Ｓ１７０）。
【０１４７】
補正後のインスリン量がＰＣ５８より認証されなければ（Ｓ１６４でＮＯ）、認証されていない旨の通知を行ない（Ｓ１８６）、再度、血糖値およびインスリン量の通知処理（Ｓ１５６）を行なう。
【０１４８】
血液の量が閾値以下である場合には（Ｓ１４８でＮＯ）、試料液の量が不足していると認識され、試料液不足エラー通知が行なわれ（Ｓ１７２）、測定処理が終了する。
【０１４９】
図１８は、ＰＣ５８におけるインスリン量演算処理のフローチャートである。この処理は、図１７に示される血糖値送信処理（Ｓ１５２）およびインスリン量受信処理（Ｓ１５４）に対応する処理である。
【０１５０】
ＰＣ５８は、投薬量決定支援装置２０から血糖値を受信するまで待機する（Ｓ１８２）。ＰＣ５８は、血糖値を受信した場合には（Ｓ１８２でＹＥＳ）、受信した血糖値をもとにインスリン量を演算する。具体的には、図３に示されるのと同様の演算テーブルをＰＣ５８が記憶しており、血糖値と血糖値の受信時刻とからインスリン量を演算し（Ｓ１８４）、投薬量決定支援装置２０に対してインスリン量を送信する（Ｓ１８６）。
【０１５１】
図１９は、ＰＣ５８におけるインスリン量認証処理のフローチャートである。この処理は、図１７に示される補正後のインスリン量の認証処理（Ｓ１６２）に対応する処理である。
【０１５２】
ＰＣ５８は、投薬量決定支援装置２０から血糖値および補正後のインスリン量を受信するまで待機する（Ｓ１９２）。ＰＣ５８は、血糖値および補正後のインスリン量を受信した場合には（Ｓ１９２でＹＥＳ）、補正後のインスリン量が認証可能か否かを判断する（Ｓ１９４）。認証可能判断処理（Ｓ１９４）は、例えば以下のように行なわれる。ＰＣ５８に血糖値とそれに対応するインスリンの投与量の許容範囲とが記憶されているものとする。ＰＣ５８は、投薬量決定支援装置２０より受信したインスリン量が当該許容範囲内にあるか否かにより、認証可能か否かを判断する。
【０１５３】
補正後のインスリン量が認証可能であれば（Ｓ１９４でＹＥＳ）、ＰＣ５８は、認証可能であることを示す認証通知を投薬量決定支援装置２０へ送信する（Ｓ１９６）。補正後のインスリン量が認証可能でなければ（Ｓ１９４でＮＯ）、ＰＣ５８は、認証を拒否する旨の拒否通知を投薬量決定支援装置２０へ送信する（Ｓ１９８）。
【０１５４】
なお、図１７〜図１９に示される投薬量決定支援装置２０とＰＣ５８との間で行なわれる処理においても、送受信されるデータには公開鍵暗号方式における署名が施され、データの送信者を特定している。
【０１５５】
投薬量決定支援装置６０、注射器８０および注射器１１０でも同様に、上述の実施の形態における処理に加え、補正後のインスリン量の認証をＰＣ５８に問い合わせるようにしてもよい。また、インスリン量の演算をＰＣ５８で行なわせるようにしてもよい。
【０１５６】
以上説明したように、本実施の形態によると、医師は、複数の患者の健康状態を一台のＰＣ５８で管理することができる。しかも、ＰＣ５８と患者が使う装置との間のデータの送受信では、上述のように公開鍵暗号方式による署名が施される。このため、医師は、どの患者から履歴データが届いたのかを確実に知ることができる。
【０１５７】
また、患者は、受信した演算テーブルが自分の主治医から送信されたものであるか否かを確認することができる。
【０１５８】
よって、医師は、個々のユーザの健康状態に合わせた投薬量を正確に決定することができる健康管理支援システムを提供することができる。
【０１５９】
また、履歴データがユーザが使用する投薬量決定支援装置または注射器、および医師が使用するＰＣ５８の双方に記憶される。このため、万が一、医療事故が発生した場合には、その履歴データに基づいて迅速な事後対応が可能となる。
【０１６０】
以上、本発明に係る投薬量決定支援装置、注射器および健康管理支援システムについて、実施の形態に基づいて説明したが、本発明は、この実施の形態に限定されるものではない。
【０１６１】
例えば、上述の実施の形態における投薬量決定支援装置または注射器は、長距離通信または近距離無線通信のいずれかの通信のみしかできない構成であるが、両方の通信機能を備えていてもよいのは言うまでもない。
【０１６２】
また、上述の投薬量決定支援装置および注射器では、センサに電圧を印加させ、センサの電極を流れる電流をもとにして血糖値を求めている。しかし、血糖値の測定方法はこれに限定されるものではない。例えば、センサの試薬層には、酵素と、試料液との酵素反応により変色する色素とを含め、この色素の色の変化を光学的に測定して血糖値を求めるようにしてもよい。
【０１６３】
さらに、インスリン量の演算方法も上述の実施形態に限定されるものではない。例えば、血糖値測定時刻とインスリン量との関係を示すテーブルを用いて、血糖値を測定した時刻から注射すべきインスリン量を算出するようにしてもよい。
【０１６４】
さらにまた、上述のＰＣとは、ＰＣのみならずＰＤＡ（Ｐｅｒｓｏｎａｌ　Ｄｉｇｉｔａｌ　Ａｓｓｉｓｔａｎｔ）、携帯電話、ネットワークに接続可能な通信機器等を示す。また、入出力端子３８に、小型のメモリカードを挿入し、データを入出力するようにしてもよい。
【０１６５】
また、上述の実施の形態では、試料として血液を例にとって説明を行なったが、これに限られるものではなく、尿や唾液等を試料として用いてもよい。
【０１６６】
さらに、試料の特性として、グルコース濃度を例にとって説明を行なったが、それに限られるものではなく、ホルモン濃度、コレステロール濃度などを試料の特性として用いてもよい。
【０１６７】
さらにまた、注射すべき薬物としては、インスリンを例にとって説明を行なったが、これに限られるものではなく、その他の病気の治療に用いられる薬物や、ビタミン剤、成長ホルモンなどであってもよい。
【０１６８】
また、履歴データとして、血糖値、インスリン量、脈拍、血圧などを用いて説明を行なったが、投薬量決定支援装置および注射器にその他の健康状態を知ることが可能な機能を設け、体脂肪、体温、歩数計などを測定し、それらの測定データを履歴データとしてもよい。
【０１６９】
また、本実施の形態では、人間の患者を想定して投薬量の決定支援を行なったが、病気の患者に限られず健常者であってもよいのは言うまでもない。また、人間に限られず、犬や猫などの動物にも本発明は適用可能である。
【０１７０】
また、ＰＣ５８は医師が使用することを前提に説明を行なったが、法的に問題がなければ、医師以外の歯科医師、薬剤師、看護士、保健士、栄養士等が使用する場合であってもよい。
【０１７１】
また、医師が使用するＰＣ５８の機能のうち、測定した血糖値、インスリン量、測定日時、脈拍、および血圧等の履歴データを記憶するサーバは、病院外の情報管理センター等に設置してもよい。
【０１７２】
また、上述の各種測定結果および投薬量には、測定または演算したままの値の他、所定の変換、変形、修飾などが施されたものであっても、本発明の趣旨を損なわないものが含まれる。
【０１７３】
また、血液採取の際には、ランセットと呼ばれる器具を通常用いるが、ランセットを投薬量決定支援装置または注射器と一体化させてもよい。
【０１７４】
【発明の効果】
本発明によると、ユーザの健康状態に合わせた投薬量を正確に決定可能な投薬量決定支援装置を提供することができる。
【０１７５】
また、ユーザの健康状態に合わせた投与量の薬剤を正確に注射可能な注射器を提供することができる。
【０１７６】
さらに、ユーザの健康状態に合わせた投薬量を正確に決定可能な健康管理支援システムを提供することができる。
【０１７７】
さらにまた、信頼性の高い履歴データの通信方法および対応関係の通信方法を提供することができる。
【０１７８】
さらにまた、投薬量、生体情報、ユーザの体調などの履歴を健康管理に役立てることができる。
【０１７９】
さらにまた、ユーザは体調に合わせた最適な投薬量を常に決定することができる。
【０１８０】
さらにまた、ユーザは、安心して投薬量決定支援装置を使用することができる。
【０１８１】
さらにまた、ユーザは、投薬量決定支援装置と注射器とを別々に携行する必要がなく、注射器の携帯性が向上する。また、投薬量決定から注射までの時間を短縮することができる。
【０１８２】
さらにまた、誤った量の薬剤が投与されるのを防止することができる。
【０１８３】
さらにまた、ユーザの健康状態に関する履歴データの信頼性を高めることができる。
【０１８４】
さらにまた、生体情報と投薬量との対応関係の信頼性を高めることができる。
【０１８５】
以上のように、本発明によると、ユーザの体内または体表面から採取される生体情報よりユーザの健康状態に応じた投薬量を自動的に求めることができる。特に、自分自身で投薬量を求めることが困難な目の不自由な老人や手指機能の低下した患者などであっても、簡単に投薬量を求めることが可能になり、その実用的価値は極めて高い。
【図面の簡単な説明】
【図１】本発明の実施の形態１に係る投薬量決定支援装置の外観図である。
【図２】実施の形態１に係る投薬量決定支援装置の本体部のハードウェア構成を示す図である。
【図３】演算テーブル格納エリアに記憶されている血糖値に対応したインスリン量を示す演算テーブルの一例を示す図である。
【図４】投薬量決定支援装置の処理の流れを示すフローチャートである。
【図５】ユーザの使用する投薬量決定支援装置による履歴データ送信処理のフローチャートである。
【図６】医師が使用するＰＣによる履歴データ受信処理のフローチャートである。
【図７】本発明の実施の形態２に係る投薬量決定支援装置の外観図である。
【図８】実施の形態２に係る投薬量決定支援装置の本体部のハードウェア構成を示す図である。
【図９】本発明の実施の形態３に係る注射器の外観図である。
【図１０】注射器の本体部のハードウェア構成を示す図である。
【図１１】注射器の処理の流れを示すフローチャートである。
【図１２】本発明の実施の形態４に係る注射器の外観図である。
【図１３】注射器の本体部のハードウェア構成を示す図である。
【図１４】注射器の処理の流れを示すフローチャートである。
【図１５】調節部の要部を示す概略図である。
【図１６】本発明の実施の形態５に係る健康管理支援システムの構成を示すブロック図である。
【図１７】投薬量決定支援装置の処理の流れを示すフローチャートである。
【図１８】ＰＣにおけるインスリン量演算処理のフローチャートである。
【図１９】ＰＣにおけるインスリン量認証処理のフローチャートである。
【符号の説明】
２０，６０　投薬量決定支援装置
２２，６２，８２，１１２　本体部
２４　センサケース
２６　センサ装着部
２８　センサ
３０　点着部
３２　スピーカ
３４　表示部
３６　データ入力部
３８　入出力端子
４２　電圧印加部
４４　電圧変換部
４６　Ａ／Ｄ変換部
４８　メモリ
４８ａ　測定テーブル格納エリア
４８ｂ　演算テーブル格納エリア
４８ｃ　履歴データ格納エリア
５０　ＣＰＵ
５２　音声処理部
５８　ＰＣ
６４　光センサ
６６　脈拍センサ
６８　ベルト
７２　赤外線通信部
８０，１１０　注射器
８４　注射針
８６　注射針ケース
８８　注射針装着部
９０　インスリンカートリッジ
９２　インスリンホルダ
９４　ピストン
９６，１２４　設定部
９８　注射ボタン
１０２　インスリン検出部
１０４　注射針検出部
１１４　収納ケース
１１６　補正量入力部
１１６ａ，１１６ｂ　補正ボタン
１２６　モータ
１３２　モータ支持部
１３４　歯車
１４０　健康管理支援システム
１４２　ネットワーク
【図１】
2004000555.tif 000003
【図２】
2004000555.tif 000004
【図３】
2004000555.tif 000005
【図４】
2004000555.tif 000006
【図５】
2004000555.tif 000007
【図６】
2004000555.tif 000008
【図７】
2004000555.tif 000009
【図８】
2004000555.tif 000010
【図９】
2004000555.tif 000011
【図１０】
2004000555.tif 000012
【図１１】
2004000555.tif 000013
【図１２】
2004000555.tif 000014
【図１３】
2004000555.tif 000015
【図１４】
2004000555.tif 000016
【図１５】
2004000555.tif 000017
【図１６】
2004000555.tif 000018
【図１７】
2004000555.tif 000019
【図１８】
2004000555.tif 000020
【図１９】
2004000555.tif 000021